(57)【特許請求の範囲】
【請求項１】
会員情報データベースを管理するサーバー装置と、これに通信網を介して接続される多数の応用装置とを備えたコンピュータシステムであって、
会員情報データベースは、会員ＩＤと会員情報を対応付けて格納し、
会員情報は、関係者識別情報と関係者会員ＩＤの組みを含み、
応用装置は、会員証読取器と、ユーザインタフェースを備え、本人ログインの利用者入力を受け付けた際に本人ログイン処理を、関係者ログインの利用者入力を受け付けた際に関係者ログイン処理を行い、
本人ログイン処理は、会員証から読み取った会員ＩＤをサーバー装置に送信して該当の会員情報を取得し、会員向け応用機能の使用を許可し、
関係者ログイン処理は、ログイン済みの会員ＩＤを利用者に特定させ、特定された会員ＩＤの会員情報に含まれる関係者識別情報を表示させて関係者を特定する利用者入力を受け付け、特定された関係者識別情報と組みになっている関係者会員ＩＤをサーバー装置に送信して該当の会員情報を取得し、会員向け応用機能の使用を許可する
コンピュータシステム。
【請求項２】
関係者識別情報は、顔写真を含み、
関係者ログイン処理は、顔写真を一覧表示して関係者特定の利用者入力を受け付ける
請求項１に記載のコンピュータシステム。
【請求項３】
応用装置は、応用機能の使用を許可した会員の顔写真を表示する
請求項２に記載のコンピュータシステム。
【請求項４】
関係者識別情報は、ニックネーム付きアバター画像を含み、
関係者ログイン処理は、ニックネーム付きアバター画像を一覧表示して関係者特定の利用者入力を受け付ける
請求項１に記載のコンピュータシステム。
【請求項５】
応用装置は、応用機能の使用を許可した会員のニックネーム付きアバター画像を表示する
請求項４に記載のコンピュータシステム。
【請求項６】
会員情報は、応用機能の使用履歴を含み、
応用装置は、会員が応用機能を使用した際、当該会員の会員情報中の使用履歴を更新し、その更新情報をサーバー装置に適宜に送信する
請求項１〜５のいずれかに記載のコンピュータシステム。
【請求項７】
会員情報は、カスタマイズ情報を含み、
応用装置は、会員が応用機能を使用する際、当該会員の会員情報中のカスタマイズ情報を反映させた応用機能を実行する
請求項１〜６のいずれかに記載のコンピュータシステム。
【請求項８】
会員情報は、サービスポイント情報を含み、
応用装置は、会員が応用機能を使用した際、当該会員の会員情報中のサービスポイント情報を更新させる
請求項１〜７のいずれかに記載のコンピュータシステム。
【請求項９】
会員情報は、会員宛の電子メールを含み、
応用装置は、会員に応用機能の使用を許可した際、当該会員の会員情報中の電子メールを内容表示する
請求項１〜８のいずれかに記載のコンピュータシステム。
【請求項１０】
サーバー装置が管理する会員情報は、決済方法情報を含み、
応用装置は、会員が応用機能を使用した際、使用料金情報と会員IDをサーバー装置に送信し、
サーバー装置は、使用料金情報と会員ＩＤとを受信した際、当該会員ＩＤの会員情報中の決済方法情報に基づいて使用料金の決済処理を行う
請求項１〜９のいずれかに記載のコンピュータシステム。
【請求項１１】
会員情報は、曲目リストを含み、
応用装置は、カラオケ機能の使用を許可した会員ＩＤの指定入力とともに曲目リスト表示の要求入力があった際、当該会員の会員情報の曲目リストを表示して選曲予約入力を受け付ける
請求項１〜10のいずれかに記載のコンピュータシステム。
【請求項１２】
会員情報は、楽曲別のカラオケ採点情報を含み、
応用装置は、会員が採点付きカラオケ機能を使用した際、当該会員の会員情報中のカラオケ採点情報を更新し、その更新情報をサーバー装置に適宜に送信し、
サーバー装置は、会員情報データベースに集約されたカラオケ採点情報に基づいて採点ランキング報告文書を作成し、インターネットを通じて採点ランキング報告文書を一般公開する
請求項１〜11のいずれかに記載のコンピュータシステム。
【発明の詳細な説明】
【技術分野】
【０００１】
この発明は、利用者ごとの利用履歴などを含む個人情報を取り扱う通信カラオケシステムなどのコンピュータシステムに関し、とくに、利用者のログインが簡便なユーザインタフェース技術に関する。
【背景技術】
【０００２】
通信カラオケシステムのような通信タイプのコンピュータシステムにおいて、インフラを利用した様々な会員向けサービスが提供されている。カラオケ事業者は、ホスト装置に会員別の記憶領域を用意しておき、通信カラオケ端末は、各会員のカラオケ利用履歴をホスト装置に送って該当する会員の領域に格納させる。会員が通信カラオケ端末を利用する際には、その格納情報をホスト装置からダウンロードし、そのダウンロード情報を使用して種々のサービスを会員に提供する。
【０００３】
カラオケの会員サービスの例として、本出願人による特許第３１４３４５６号公報や特許第３４００９２１号公報に記載された通信カラオケシステムでは、会員が個別に所持する選曲予約用のリモコン装置からリモコン識別子と楽曲番号とが含まれる演奏予約コマンドを通信カラオケ端末に送信する。通信カラオケ端末はそのリモコンの識別子を会員識別符号（会員ＩＤ）として、その識別符号に通信カラオケ端末の利用履歴を対応付けして記録する。利用履歴としては、選曲履歴であったり、演奏時に周知の歌唱採点機能を利用したならば、その採点結果であったりする。そして、ホスト装置との定期的な通信機会にその利用履歴をホスト装置にアップロードする。ホスト装置は通信カラオケ端末から受け取った利用履歴に基づいて、例えば、各地の通信カラオケ端末から集信した採点結果を定期的に集計して採点ランキングを作成したり、会員ごとに楽曲の予約回数に応じたポイントを付与したりする。そしてカラオケ事業者は、ホスト装置にて作成・集計されたランキングやポイントに応じて各種特典を会員に提供する。
【０００４】
その他にも、本出願人は個人別のサービスに関する種々の技術を開示している。特許第３４２９２１０号公報には、ホスト装置で集信し集計した演奏履歴の情報に基づいて、利用者の携帯電話機に個人別の曲目リストを提示する技術について開示されている。また、特許第３４０６８７９号公報には、個人別にカラオケ利用時の運動量を推定する技術について開示されている。また、特許第３４２２６８８号公報には、利用者の声紋データに基づいて選曲履歴を取り出したり更新したりする技術について開示されている。
【０００５】
また特許第３４５３２４８号公報、特開２００３−１４０６６６号公報には、利用者がホスト装置に自身の個人情報を登録しておき、通信カラオケ端末を使用する際に、その個人情報をホスト装置から通信カラオケ端末にダウンロードして適宜に利用する構成も開示されている。
【特許文献１】特許第３１４３４５６号公報
【特許文献２】特許第３４００９２１号公報
【特許文献３】特許第３４２９２１０号公報
【特許文献４】特許第３４０６８７９号公報
【特許文献５】特許第３４２２６８８号公報
【特許文献６】特許第３４５３２４８号公報
【特許文献７】特開２００３−１４０６６６号公報
【発明の開示】
【発明が解決しようとする課題】
【０００６】
上述したように、通信コンピュータシステムの一例として、カラオケにおいて個人別の利用履歴に基づく様々な会員サービスが提供されている。一方で、このような個人別の利用履歴をシステムに記録して会員サービスを利用するためには、個々人が利用に先だってシステムに個人情報を登録しておき、利用に際して自身を特定してシステムに認識させるログイン処理が必要不可欠である。こうしたログイン時などに個人を特定させる際の利便性を考慮して、名前以外にも動物キャラクタや写真で表示して選択指示させる技術など、簡便なユーザインタフェースも多数開発されている。たとえば本出願人は、特許第３４３２１３２号公報に記載の技術をはじめ、ビデオカメラやデジタルカメラを用いて利用者が登録した個人識別標章を用いる簡便なユーザインタフェース技術を開発している。
【０００７】
しかし、大勢がグループで遊ぶ場合に、メンバーがそれぞれにログイン処理をしなければならないのでは、全員のログイン処理が終わるまでに時間もかかるし、面倒になって結局ログインせずに利用しはじめる人も出て来かねない。それでは、利用者はせっかく会員登録をしているにもかかわらず会員専用サービスを受ける機会を逃してしまうし、カラオケ事業者も個人データを収集する機会を逃してしまうし、ひいてはせっかく開発した会員専用サービスの利用者の減少を招いてしまう。
【０００８】
そこで本出願人らは、一旦メンバーのだれかがログインしたら、他のメンバーも芋づる式にログインできるようにしたら、ユーザインタフェースの簡便性が飛躍的に向上して多くの人に会員専用サービスを楽しんでもらえると考えた。
【課題を解決するための手段】
【０００９】
本発明者らは、上記事情に鑑み本発明を創作した。この発明は、次の事項（１）〜（６）により特定されるものである。  
（１）会員情報データベースを管理するサーバー装置と、これに通信網を介して接続される多数の応用装置とを備えたコンピュータシステムであること
（２）会員情報データベースは、会員ＩＤと会員情報を対応付けて格納すること
（３）会員情報は、関係者識別情報と関係者会員ＩＤの組みを含むこと
（４）応用装置は、会員証読取器と、ユーザインタフェースを備え、本人ログインの利用者入力を受け付けた際に本人ログイン処理を、関係者ログインの利用者入力を受け付けた際に関係者ログイン処理を行うこと
（５）本人ログイン処理は、会員証から読み取った会員ＩＤをサーバー装置に送信して該当の会員情報を取得し、会員向け応用機能の使用を許可すること
（６）関係者ログイン処理は、ログイン済みの会員ＩＤを利用者に特定させ、特定された会員ＩＤの会員情報に含まれる関係者識別情報を表示させて関係者を特定する利用者入力を受け付け、特定された関係者識別情報と組みになっている関係者会員ＩＤをサーバー装置に送信して該当の会員情報を取得し、会員向け応用機能の使用を許可すること
【００１０】
この発明において、次の（ａ）〜（ｋ）のいずれか１つ以上を適宜に選択して適用することが望ましい。  
（ａ）関係者識別情報は、顔写真を含み、関係者ログイン処理は、顔写真を一覧表示して関係者特定の利用者入力を受け付けること
（ｂ）（ａ）の場合に、応用装置は、応用機能の使用を許可した会員の顔写真を表示すること
（ｃ）関係者識別情報は、ニックネーム付きアバター画像を含み、関係者ログイン処理は、ニックネーム付きアバター画像を一覧表示して関係者特定の利用者入力を受け付けること
（ｄ）（ｃ）の場合に、応用装置は、応用機能の使用を許可した会員のニックネーム付きアバター画像を表示すること
【００１１】
（ｅ）会員情報は、応用機能の使用履歴を含み、応用装置は、会員が応用機能を使用した際、当該会員の会員情報中の使用履歴を更新し、その更新情報をサーバー装置に適宜に送信すること
（ｆ）会員情報は、カスタマイズ情報を含み、応用装置は、会員が応用機能を使用する際、当該会員の会員情報中のカスタマイズ情報を反映させた応用機能を実行すること
（ｇ）会員情報は、サービスポイント情報を含み、応用装置は、会員が応用機能を使用した際、当該会員の会員情報中のサービスポイント情報を更新させること
（ｈ）会員情報は、会員宛の電子メールを含み、応用装置は、会員に応用機能の使用を許可した際、当該会員の会員情報中の電子メールを内容表示すること
（ｉ）サーバー装置が管理する会員情報は、決済方法情報を含み、応用装置は、会員が応用機能を使用した際、使用料金情報と会員IDをサーバー装置に送信し、サーバー装置は、使用料金情報と会員ＩＤとを受信した際、当該会員ＩＤの会員情報中の決済方法情報に基づいて使用料金の決済処理を行うこと
【００１２】
（ｊ）会員情報は、曲目リストを含み、応用装置は、カラオケ機能の使用を許可した会員ＩＤの指定入力とともに曲目リスト表示の要求入力があった際、当該会員の会員情報の曲目リストを表示して選曲予約入力を受け付けること
（ｋ）会員情報は、楽曲別のカラオケ採点情報を含み、応用装置は、会員が採点付きカラオケ機能を使用した際、当該会員の会員情報中のカラオケ採点情報を更新し、その更新情報をサーバー装置に適宜に送信し、サーバー装置は、会員情報データベースに集約されたカラオケ採点情報に基づいて採点ランキング報告文書を作成し、インターネットを通じて採点ランキング報告文書を一般公開すること
【発明の効果】
【００１３】
本発明によれば、大勢のグループでカラオケなどの通信システムを利用する際に、システムへのログイン処理が簡便にできる。グループの中に会員証を忘れた人がいても、他のメンバーがログインすれば一緒にログインして会員専用サービスを受けられる。利用者にとってログイン処理、ひいては会員専用サービスの使い勝手が向上する。事業者にとっても、会員専用サービスを利用してもらう機会を逃して会員の利用履歴情報を収集しそびれたりすることが減少し、顧客囲い込みをスムーズにできる。
【発明を実施するための最良の形態】
【００１４】
＝＝＝ネットワーク構成と応用装置の基本機能＝＝＝
以下に、本発明を通信カラオケシステムに適用した実施例について説明する。この場合の応用装置は通信カラオケ端末である。  
図１はこの実施例におけるネットワーク構成を示している。インターネットを利用したＶＰＮ（Virtual Private Network）４０にカラオケ事業者の各地のカラオケ店舗１００に敷設されたＬＡＮ１１０やカラオケサーバー２０が接続されて広域イントラネットが構築されている。各地のカラオケ店舗１００の各客室には通信カラオケ端末（以下、カラオケ装置）１０やそれに付帯する機器が設置され、カラオケ装置１０はＶＰＮ４０を介してカラオケサーバー２０や会員情報サーバー３０と通信する。
【００１５】
図２にカラオケ装置１０の電気的なシステム構成の概略を示している。  
メインコンピュータ１は、このカラオケ装置１０の全体を統括する。ハードディスク装置２は、メインコンピュータ１のプログラムと、カラオケデータベースと、映像データベースなどの各種情報が格納されている。操作／表示パネル部３は、利用者により各種の情報が入力可能であるとともに、利用者に向けて各種の情報を表示可能である。通信処理部７は、通信回線を介して外部のカラオケサーバー２０や会員情報サーバー３０と通信する。また無線ポート１３を介してサブコンピュータ１４と通信可能である。
【００１６】
サブコンピュータ１４は、カラオケ集会に参加している利用者と対話形式でさまざまな情報交換を行えるものであって、無線ポート１３を介してメインコンピュータ１と通信する。サブコンピュータ１４は、パームトップ型あるいはラップトップ型のような一体型のタブレットパソコンであり、ユーザインタフェースとして、その正面に透明タッチパネル付きの液晶表示器が大きくレイアウトされており、これにより利用者と対話形式でさまざまな情報交換を行うようにプログラムされている。
【００１７】
利用者が操作／表示パネル３やサブコンピュータ１４を用いて指定したリクエスト曲について、カラオケデータベースから該当の楽曲のカラオケデータを取り出して演奏処理部８に受け渡す。各曲のカラオケデータは、楽曲番号と、ＭＩＤＩ演奏データと録音データと、歌詞字幕データとを組織化したものである。演奏処理部８は、メインコンピュータ１の制御により、カラオケデータに基づいてステレオ伴奏音楽を演奏し、音楽信号をミキシングアンプ９で増幅してスピーカーにより放音する。
【００１８】
＝＝＝会員情報＝＝＝
カラオケ装置１０は、後述する処理によりログインした会員の会員ＩＤ別に、利用履歴を収集する機能を備えている。たとえば周知の歌唱採点機能を備え、歌唱採点結果を会員ＩＤに対応付けて記憶する。また、サブコンピュータ１４を使って会員が選曲してリクエストした曲の楽曲番号を選曲履歴として会員ＩＤに対応付けて記憶したり、歌唱時に設定したキーコントロール値を会員ＩＤに対応付けて記憶したりする。また、会員がサブコンピュータ１４を使って十八番などのよく歌う楽曲を指定する機能を備え、それらの楽曲番号集をパーソナル曲目帳として会員ＩＤに対応付けて記憶する。またサブコンピュータ１４に一体的にデジタルカメラを備えて会員の顔写真を撮影したり、サブコンピュータ１４を使って予め用意された多数の動物を模したキャラクタ画像などから会員の選択指示入力を受け付けたりして、顔写真や、選択された動物キャラクタなどからなるアバター画像をこの会員の個人識別標章として会員ＩＤに対応付けて記憶する。これらの会員ＩＤに対応付けされた情報は、適宜な機会に会員情報サーバー３０にアップロードされる。
【００１９】
会員情報サーバー３０はカラオケ事業者が管理する汎用のサーバーコンピュータであって、ハードディスク装置にカラオケ会員の登録情報やカラオケ利用履歴を格納して、会員情報データベースとして管理している。会員情報サーバー３０は、各地に散在するカラオケ装置１０にカラオケデータを配信したり各カラオケ装置１０の利用状況を集信したりするためのカラオケサーバー２０と一体のハードウェアとしてもよい。
【００２０】
会員情報データベースは、会員登録された利用者を会員ＩＤにより識別管理している。各会員ＩＤをキー情報として、その会員の名前・連絡先などの登録情報や、顔写真などの個人識別標章、選曲履歴・歌唱採点履歴・パーソナル曲目帳などの利用履歴など、さまざまな個人情報（会員情報）を会員ＩＤに対応付けして記憶・管理している。つまり、会員ＩＤを特定することにより、この会員ＩＤに対応する各種の会員情報を取り出せるしくみになっている。会員情報には、後述する関係者識別情報とその関係者の会員ＩＤとの組みが含まれる。
【００２１】
会員ＩＤはカラオケ事業者が新規に会員登録した利用者に付与する識別符号である。新規会員登録時に、会員の名前や連絡先などの登録情報が付与された会員ＩＤに対応づけして、カラオケ事業者の管理コンピュータからネットワークを介して、または会員情報サーバー３０のユーザインタフェースを介して会員情報データベースに格納される。
【００２２】
また個人識別標章は、登録を済ませた新規会員が初めて店舗でカラオケ利用する際などに、サブコンピュータ１４のユーザインタフェースを介して当該会員により指定入力され、会員情報データベースに格納される。なお、個人識別標章は、フルネームやニックネームといったテキストのほか、顔写真やアバター画像などの画像や、それらの画像とフルネームやニックネームとを組合せて表示するものなど、ユーザインタフェース上で各会員を本人や関係者がひと目で識別できるものであればよい。
【００２３】
＝＝＝会員専用サービス＝＝＝
これら会員ＩＤ別に収集した利用履歴や登録情報を利用して、カラオケ装置１０では、よく知られたさまざまな会員専用サービス（会員向け応用機能）が提供されている。たとえば、会員の選曲履歴やパーソナル曲目帳を会員ＩＤに対応づけて会員情報サーバー３０に管理しておき、会員がカラオケを利用する際にカラオケ装置１０で当該会員用の選曲履歴やパーソナル曲目帳を取り寄せて提示して、その中からこの会員が指定した曲の楽曲番号を取り出して演奏予約できるように構成する。
【００２４】
また、ある楽曲のキーコントロール値などのカスタマイズ情報を会員情報サーバー３０に記憶しておいて、当該会員が次に同じ歌を歌唱する際にカラオケ装置１０で取り寄せて反映させる。
【００２５】
会員がカラオケ利用する際に会員情報サーバー３０に登録されている個人識別標章をカラオケ装置１０に取り寄せ、次に演奏されるリクエスト曲をカラオケ装置１０の表示装置６などで紹介する際にリクエストした会員の個人識別標章を表示したり、個人識別標章別に演奏待ちの曲数を表示したりする。
【００２６】
また、カラオケ装置１０は会員の歌唱採点結果を会員ＩＤおよび楽曲番号と対応づけて会員情報サーバー３０に送信する。会員情報サーバー３０ではこれらを収集し、新しい歌唱採点結果が追加された場合などの適宜なタイミングで、楽曲番号別に採点結果の全国ランキングを集計する。そして当該楽曲について、ランキング順に点数とその歌唱者の会員名などを一覧にしたＨＴＭＬ文書を作成してインターネット上に掲載する。会員や他の利用者は客室のＰＣや自宅のＰＣ、携帯電話などに搭載されたブラウザソフトでインターネットに接続してそれらの全国ランキングを閲覧できる。
【００２７】
また、カラオケ装置１０で会員の歌唱を録音し、その録音データを会員ＩＤと対応付けして会員情報サーバー３０にアップロードする。会員情報サーバー３０からプロの歌手や指導者のＰＣなどに適宜に録音データをダウンロードするなどして聴かせて、入力された評価・指導情報を再び会員情報サーバー３０にアップロードさせる。その後、会員カラオケ装置１０を介して会員情報サーバー３０から評価・指導情報を取り寄せることでプロ歌手や指導者の評価・指導を受けることができる。
【００２８】
その他にも、会員情報サーバー３０で各種会員専用サービスの利用履歴を会員別に集計して利用回数などに応じたサービスポイントを計上し、各会員にサービスポイントに応じて賞品やカラオケ利用券などにより還元するサービスも提供されている。
【００２９】
＝＝＝本人ログイン＝＝＝
会員情報サーバー３０に会員登録されている利用者は、会員情報データベースに格納された各会員情報を利用した様々な会員専用サービス（会員向け応用機能）を享受できる。会員は、各自の会員情報を利用できるようにするために、システムにログインして利用する。本実施例では、会員は会員証としてカラオケ事業者が発行した非接触型のＩＣカードを所持し、そのＩＣカードに記憶されている固有の識別番号を会員ＩＤとしている。
【００３０】
サブコンピュータ１４は、このＩＣカード用のデータ読取機能を備えている。会員がシステムにログインして会員専用サービスを利用しようとする場合に、本人ログイン（３０１）指示とともにＩＣカードをサブコンピュータ１４に備わるＩＣカードデータ読み取り用のアンテナ部にかざすと、サブコンピュータ１４はカードの識別番号を会員ＩＤとして取得し、カラオケ装置１０に通知する。
【００３１】
カラオケ装置１０は通知された会員ＩＤをネットワーク４０を介して会員情報サーバー３０に送信する。会員情報サーバー３０は、会員ＩＤに基づいて会員情報データベース３０を参照し、この会員ＩＤに対応付けされた会員情報をカラオケ装置１０に返送する。サブコンピュータ１４は、取得した会員情報を会員ＩＤ別に適宜な記憶領域に記憶する。また、取得した会員情報に基づいて、図３に例示したように、メニュー一覧画面中のログイン済みメンバー一覧３０２にこの会員の個人識別標章を追加表示させ、本人ログイン処理を完了させる。
【００３２】
ログイン済みの会員がサブコンピュータ１４のメニュー一覧画面（図３）で自分を示す個人識別標章をログイン済みメンバー一覧３０２の中から適宜な操作で選択指示すると、サブコンピュータ１４は選択された識別標章に対応付けされている会員ＩＤを取り出す。そして、この会員ＩＤに対応付けされた会員情報に基づいて、会員専用サービスを利用可能とする。
【００３３】
なお、カラオケ装置１０およびサブコンピュータ１４は、会員ＩＤに基づいて、会員情報サーバー３０で管理している会員情報のすべてを取り寄せる必要はない。利用履歴など、カラオケ装置１０で会員専用サービスを提供するために必要な会員情報だけを取り寄せればよい。
【００３４】
＝＝＝関係者ログイン＝＝＝
上述の本人ログイン処理によりログインした会員は、会員専用サービスから、家族や友人などあらかじめ自分の関係者として登録した人をログインさせることができる（関係者ログイン）。関係者ログインによれば、ログインを済ませた会員の関係者は、自分の会員証（ＩＣカード）を所持していなくても、ログインして会員専用サービスを利用できるようになる。
【００３５】
ログインを済ませた会員は、会員専用メニューを利用できる。逆に、ログインしていない人がこれらのメニューを選択しても、エラーが表示されるなど、サービスの利用を開始できないようになっている。メニュー一覧画面（図３）に表示されているログイン中のメンバー一覧３０２の中から、順送りしたり戻したりする適宜な操作で自分を示す個人識別標章を選択指示したうえで、会員専用メニューから「関係者ログイン」メニュー３０３を選択指示すると、図４に例示したように、「関係者を登録」メニューと「一緒にログイン」メニューを選択指定できるように構成されている。
【００３６】
ログイン済みの会員が「関係者を登録」を選択指定すると、自分がログインした場合にその関係者としてログインさせられる友人や家族を登録しておくことができる。友人や家族の会員証をアンテナ部にかざしてサブコンピュータ１４に会員ＩＤを入力する。会員ＩＤの数値を直接入力するようにしてもよい。サブコンピュータ１４は、入力された関係者の会員ＩＤに基づいて、カラオケ装置１０を介して会員情報データベースにアクセスするなどして、この関係者の個人識別標章を取り寄せる。そしてこれらの関係者の会員ＩＤと各個人識別標章との組みを関係者情報として、ログイン済みの会員の会員情報に追加する。会員情報として、複数組の関係者情報を追加登録することができる。
【００３７】
ログイン済みの会員が「一緒にログイン」を選択指定すると、図５に例示したように、サブコンピュータ１４は、会員情報中の関係者情報に基づいて、この会員の関係者として登録されている友人などの識別標章を液晶表示器に一覧的に表示させる。会員は、その中からその場にいる家族や友人を示す識別標章を選択指示して指定する。自分と一緒にログインさせたい人を指定し終えると、サブコンピュータ１４は、指示入力された識別標章に対応する関係者の会員ＩＤに基づいて、カラオケ装置１０を介して会員情報データベースにアクセスし、これら関係者の会員ＩＤに対応付けされている会員情報を取り寄せ、会員ＩＤ別に記憶する。そして、本人ログインの場合と同様に、取り寄せた各関係者の会員情報に基づいて、メニュー一覧画面（図３）のログイン済みメンバー一覧３０２にこの関係者の個人識別標章を追加表示させ、関係者ログイン処理を完了させる。
【００３８】
もちろん、このようにして関係者ログインした友人や家族は、本人ログインをした会員と同様に、サブコンピュータ１４のメニュー一覧画面（図３）で自分を示す個人識別標章を選択指示することにより会員専用メニューを利用可能となる。
【００３９】
なお、関係者ログインの場合も本人ログインの場合と同様に、カラオケ装置１０およびサブコンピュータ１４は関係者の会員情報のうち、会員専用サービスに必要なもののみ、会員情報データベース３０から取り寄せればよい。
【００４０】
＝＝＝他の実施例＝＝＝
本発明に係る会員情報データベースで管理する会員情報に含める情報により、上記以外にもさまざまな会員専用サービスが提供可能となる。たとえば、会員情報に会員が所持する携帯電話などの電子メールアドレスを登録しておく。会員がログインした際に、その電子メールアドレス宛に店舗からのお知らせやお得な情報などを掲載した電子メールを送信する。あるいは、ログイン済みの会員が他の会員に向けたメッセージを作成し、宛先会員の会員ＩＤと対応づけて会員情報サーバー３０にアップロードしておく。宛先になっている会員がログインした際に、会員情報サーバー３０からこのメッセージが送信され、サブコンピュータ１４の画面に表示される。このようにして、地理的に離れた店舗の利用者同士でも、通信システムのネットワークを利用して電子メールをやりとりできる。
【００４１】
会員専用サービスを有料で提供しているシステムにおいては、会員情報サーバー３０に会員の銀行口座番号やクレジットカード番号などの決済方法に関する情報を含めておく。会員が有料の会員専用サービスを利用するにあたっては、この会員ＩＤを会員情報サーバー３０に通知し、当該決済情報に従ってサービス利用料金額相当を金融機関やクレジットカード会社に請求するなどの決済処理を実行させる。こうすれば、会員は店舗で現金のやりとりをせずに有料のサービスを利用できる。
【００４２】
本発明は、上記実施例に限るものではない。たとえば、会員情報サーバー３０がカラオケ装置１０と同じ店舗内ＬＡＮに接続される構成も含んでいる。
【００４３】
また上記実施例では、サブコンピュータ１４をカラオケ装置１０に付帯する周辺機器として、カラオケ装置１０を介してのみ会員情報サーバー３０とやりとりする構成としているが、サブコンピュータ１４が会員情報サーバー３０と通信する際に、カラオケ装置１０を介さずネットワーク４０を介して直接、会員情報サーバー３０とデータ通信する構成とすることも可能である。たとえば、サブコンピュータ１４用の充電架台を通信カラオケシステムのＬＡＮに接続する構成とする。この場合にサブコンピュータ１４は、カラオケ装置１０とは赤外線インタフェースなどにより演奏予約信号等のやりとりが可能であるとともに、会員情報サーバー３０などの外部装置とはネットワーク４０を介して直接データ通信が可能である。
【００４４】
また本発明は、通信カラオケシステムに限るものではなく、通信タイプのコンピュータシステムに適用可能である。たとえば、英会話のオンライン学習システムに親子や兄弟で参加する場合に適用可能である。英会話学校のシステムコンピュータに各家庭に設置された応用装置からネットワークを介してログインして学習プログラムに参加する。本発明の関係者ログインをすれば、家族会員のログインが簡単にできる。
【００４５】
また、ゲームセンターの会員向けゲームなどにも適用できる。たとえば、ゲームセンターのサーバーコンピュータに各地のゲームセンター内のゲーム機（応用装置）からログインして利用する場合に適用できる。会員ごとに得点を記録してサーバーコンピュータで収集し集計して他の会員と得点ランキングを競ったり、ゲームを途中で中断してその対戦履歴を会員ごとにサーバーコンピュータに記憶しておき、後日その会員がログインして対戦履歴を取り寄せて中断したところから再開できるようにしたりするなど、会員ＩＤ別にゲーム利用状況を記録するような通信タイプのゲームシステムに適用すると便利である。会員向けゲームを目的に大勢のグループでゲームセンターを訪れた場合に、本発明の関係者ログインによれば、皆が簡便にログインして迅速にゲームを開始できる。
【図面の簡単な説明】
【００４６】
【図１】本発明の実施例におけるカラオケ装置を含むネットワーク構成図である。
【図２】上記カラオケ装置の機能ブロック図である。
【図３】上記カラオケ装置に付帯するサブコンピュータに表示されるメニュー一覧画面の概略図である。
【図４】上記サブコンピュータに表示される関係者ログインメニューの画面例である。
【図５】上記サブコンピュータに表示される関係者ログインメニューの関係者を指定する画面例である。
【符号の説明】
【００４７】
１０  カラオケ装置
２０  カラオケサーバー
３０  会員情報サーバー
４０  通信網
【図２】
0004762676.tif 000002
【図１】
0004762676.tif 000003
【図３】
0004762676.tif 000004
【図４】
0004762676.tif 000005
【図５】
0004762676.tif 000006